(57)【特許請求の範囲】
【請求項１】
遊技機本体の後側に、所定基板を格納した所定基板ケースと、特定基板を格納した特定基板ケースとを、前記特定基板ケースが下側となるように上下に配置し、
装着面にワンチップマイコンを装着した前記特定基板を、その装着面を後側に向けた状態で配置した
遊技機において、
前記ワンチップマイコンは前記装着面に対して略垂直な板状部を備え、
前記板状部が略水平となるように前記ワンチップマイコンを配置し、
所定情報が表示されたシート状の所定情報表示体を前記板状部の上面側に貼付し、
前記特定基板ケースの上面が前記所定基板ケースの下面と上下に対向し、且つ前記ワンチップマイコンの前記板状部の後端部が前記所定基板ケースの背面よりも後側に位置するように前記特定基板ケースを配置した
ことを特徴とする遊技機。
【請求項２】
遊技機本体の後側に、所定基板を格納した所定基板ケースと、特定基板を格納した特定基板ケースとを、前記特定基板ケースが下側となるように上下に配置し、
装着面にワンチップマイコンを装着した前記特定基板を、その装着面を後側に向けた状態で配置し、
前記所定基板を前記特定基板と略平行に配置すると共に該所定基板の後側の面に電子部品を装着した
遊技機において、
前記ワンチップマイコンは前記装着面に対して略垂直な板状部を備え、
前記板状部が略水平となるように前記ワンチップマイコンを配置し、
所定情報が表示されたシート状の所定情報表示体を前記板状部の上面側に貼付し、
前記特定基板ケースの上面が前記所定基板ケースの下面と上下に対向し、且つ前記ワンチップマイコンの前記板状部の後端部が、前記所定情報表示体の上側に対応する前記電子部品よりも後側に位置するように前記特定基板ケースを配置した
ことを特徴とする遊技機。
【請求項３】
遊技機本体の後側に、所定基板を格納した所定基板ケースと、特定基板を格納した特定基板ケースとを、前記特定基板ケースが下側となるように上下に配置し、
装着面にワンチップマイコンを装着した前記特定基板を、その装着面を後側に向けた状態で配置した
遊技機において、
前記ワンチップマイコンは前記装着面に対して略垂直な板状部を備え、
前記板状部が略水平となるように前記ワンチップマイコンを配置し、
所定情報が表示されたシート状の所定情報表示体を前記板状部の上面側に貼付し、
前記特定基板ケースの上面と前記所定基板ケースの下面とを上下に対向させるとともに前記特定基板ケースの上面を後ろ下がりの傾斜状とした
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技動作を統括的に制御する主制御基板、その他の制御基板に例えばワンチップマイコンが実装されている（例えば特許文献１）。このワンチップマイコンは、ＣＰＵ、ＲＯＭ、ＲＡＭ等を一体化したものであり、そのＲＯＭに格納されている制御プログラム等の内容は遊技機の機種や仕様に応じて異なっている。
【先行技術文献】
【特許文献】
【０００３】
【特許文献１】特開２００７−０４４５５９号公報
【発明の概要】
【発明が解決しようとする課題】
【０００４】
このように、ワンチップマイコンに格納されている制御プログラム等の内容は遊技機の機種や仕様に応じて異なっているが、当然ながらワンチップマイコンの外観からはその違いを判断することはできないため、従来は遊技機の主制御基板等に実装されたワンチップマイコンがその機種・仕様に対応していることを目視によって確認することは不可能であった。
本発明は上記事情に鑑みてなされたものであり、基板に実装されているワンチップマイコンに関する情報を目視によって容易に確認することが可能な遊技機を提供することを目的とする。
【課題を解決するための手段】
【０００５】
第１の発明は、遊技機本体１の後側に、所定基板４９，５１を格納した所定基板ケース５０，５２と、特定基板４４を格納した特定基板ケース４５とを、前記特定基板ケース４５が下側となるように上下に配置し、装着面４４ａにワンチップマイコン５８を装着した前記特定基板４４を、その装着面４４ａを後側に向けた状態で配置した遊技機において、前記ワンチップマイコン５８は前記装着面４４ａに対して略垂直な板状部６５を備え、前記板状部６５が略水平となるように前記ワンチップマイコン５８を配置し、所定情報が表示されたシート状の所定情報表示体６７を前記板状部６５の上面６５ａ側に貼付し、前記特定基板ケース４５の上面が前記所定基板ケース５０，５２の下面と上下に対向し、且つ前記ワンチップマイコン５８の前記板状部６５の後端部が前記所定基板ケース５０，５２の背面よりも後側に位置するように前記特定基板ケース４５を配置したものである。
また第２の発明は、遊技機本体１の後側に、所定基板４９，５１を格納した所定基板ケース５０，５２と、特定基板４４を格納した特定基板ケース４５とを、前記特定基板ケース４５が下側となるように上下に配置し、装着面４４ａにワンチップマイコン５８を装着した前記特定基板４４を、その装着面４４ａを後側に向けた状態で配置し、前記所定基板４９，５１を前記特定基板４４と略平行に配置すると共に該所定基板４９，５１の後側の面に電子部品を装着した遊技機において、前記ワンチップマイコン５８は前記装着面４４ａに対して略垂直な板状部６５を備え、前記板状部６５が略水平となるように前記ワンチップマイコン５８を配置し、所定情報が表示されたシート状の所定情報表示体６７を前記板状部６５の上面６５ａ側に貼付し、前記特定基板ケース４５の上面が前記所定基板ケース５０，５２の下面と上下に対向し、且つ前記ワンチップマイコン５８の前記板状部６５の後端部が、前記所定情報表示体６７の上側に対応する前記電子部品よりも後側に位置するように前記特定基板ケース４５を配置したものである。
また第３の発明は、遊技機本体１の後側に、所定基板４９，５１を格納した所定基板ケース５０，５２と、特定基板４４を格納した特定基板ケース４５とを、前記特定基板ケース４５が下側となるように上下に配置し、装着面４４ａにワンチップマイコン５８を装着した前記特定基板４４を、その装着面４４ａを後側に向けた状態で配置した遊技機において、前記ワンチップマイコン５８は前記装着面４４ａに対して略垂直な板状部６５を備え、前記板状部６５が略水平となるように前記ワンチップマイコン５８を配置し、所定情報が表示されたシート状の所定情報表示体６７を前記板状部６５の上面６５ａ側に貼付し、前記特定基板ケース４５の上面と前記所定基板ケース５０，５２の下面とを上下に対向させるとともに前記特定基板ケース４５の上面を後ろ下がりの傾斜状としたものである。
【発明の効果】
【０００６】
本発明によれば、基板に実装されているワンチップマイコンに関する情報を目視によって容易に確認することが可能である。
【図面の簡単な説明】
【０００７】
【図１】本発明の第１の実施形態を示すパチンコ機の全体正面図である。
【図２】同パチンコ機の全体背面図である。
【図３】同パチンコ機の遊技盤の背面図である。
【図４】同パチンコ機の遊技盤の側面図である。
【図５】同パチンコ機の制御系のブロック図である。
【図６】同パチンコ機の主基板ケース及び主制御基板の分解斜視図である。
【図７】同パチンコ機の主基板ケース及び主制御基板の背面断面図である。
【図８】同パチンコ機の主基板ケース及び主制御基板の側面断面図である。
【図９】同パチンコ機の主基板ケース及び主制御基板の平面断面図である。
【図１０】同パチンコ機のワンチップマイコンの平面図である。
【図１１】本発明の第２の実施形態を示すパチンコ機のワンチップマイコンの平面図である。
【図１２】本発明の第３の実施形態を示すパチンコ機のワンチップマイコンの斜視図である。
【図１３】本発明の変形例を示すパチンコ機の遊技盤の側面断面図である。
【発明を実施するための形態】
【０００８】
以下、本発明の実施形態を図面に基づいて詳述する。図１〜図１０は本発明をパチンコ機に採用した第１の実施形態を例示している。図１，図２において、遊技機本体１は、矩形状の外枠２と、この外枠２の前側に配置された前枠３とを備えている。前枠３は左右一側に配置された上下方向のヒンジ４を介して外枠２に着脱及び開閉自在に装着されている。
【０００９】
前枠３には、上部側に遊技盤５等が、下部側に発射手段６等が配置されると共に、その前側に、遊技盤５の前側に対応するガラス扉７と、発射手段６の前側に対応する下部扉８とが上下に配置されている。ガラス扉７及び下部扉８は、例えばヒンジ４と同じ側のヒンジ９を介して前枠３に開閉自在に装着されている。ガラス扉７には、遊技盤５の遊技領域５ａに対応するガラス窓１０が設けられると共に、そのガラス窓１０の周囲にスピーカ７ａ、ＬＥＤ７ｂ等の演出手段が配置されている。また下部扉８には、発射用の遊技球を貯留する貯留皿１１、発射手段６を作動させるための発射ハンドル１２等が配置され、また例えば貯留皿１１の前側には演出ボタン８ａ、ＬＥＤ８ｂ等が設けられている。
【００１０】
遊技盤５の前面側には、発射手段６から発射された遊技球を案内するガイドレール１３が遊技領域５ａを略取り囲むように配置されると共に、その遊技領域５ａ内に、中央表示ユニット１４、普通図柄始動手段１５、特別図柄始動手段１６、大入賞手段１７、普通入賞手段１８等の各種遊技部品が配置されている。
【００１１】
中央表示ユニット１４は遊技領域５ａにおける左右方向略中央の上部側に配置されており、支持部材（図示省略）を介して遊技盤５の後側に装着された液晶表示手段２１と、その液晶表示手段２１に対応する表示窓を有し且つ遊技盤５に前側から装着された前飾り枠２２とを備え、前飾り枠２２の前側に例えば普通図柄表示手段２３、特別図柄表示手段２４等が配置されている。
【００１２】
普通図柄始動手段１５は、普通図柄表示手段２３による図柄変動を開始させるためのもので、例えば遊技球が通過可能な通過ゲートにより構成され、遊技球を検出可能な遊技球検出スイッチ（図示省略）を備えており、例えば中央表示ユニット１４の左側に配置されている。
【００１３】
普通図柄表示手段２３は、例えば「○」「×」の２種類の普通図柄に対応する２個の発光体（例えばＬＥＤ）によって構成されており、普通図柄始動手段１５が遊技球を検出することに基づいてそれら２つの発光体が所定時間交互に点滅して、普通図柄始動手段１５による遊技球検出時に取得された普通乱数情報に含まれる当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１４】
特別図柄始動手段１６は、特別図柄表示手段２４による図柄変動を開始させるためのもので、上下２つの特別始動口１６ａ，１６ｂと、下特別始動口１６ｂを開閉する開閉手段２５と、特別始動口１６ａ，１６ｂに入賞した遊技球を夫々検出する遊技球検出手段（図示省略）とを備え、例えば中央表示ユニット１４の下側に配置されている。上特別始動口１６ａは、開閉手段等を有しない非開閉式入賞口である。下特別始動口１６ｂは、開閉手段２５により遊技球が入賞可能な開状態と入賞不可能（又は開状態よりも入賞困難）な閉状態とに切り換え可能な開閉式入賞口で、普通図柄表示手段２３の変動後の停止図柄が当たり態様となった場合に発生する普通利益状態において、開閉手段２５が所定時間閉状態から開状態に変化するように構成されている。
【００１５】
特別図柄表示手段２４は、１個又は複数個、例えば１個の特別図柄を変動表示可能な７セグメント式等の表示手段により構成されており、特別図柄始動手段１６が遊技球を検出すること、即ち上下２つの特別始動口１６ａ，１６ｂの何れかに遊技球が入賞することに基づいて特別図柄を所定時間変動表示して、特別始動口１６ａ，１６ｂへの入賞時に取得された特別乱数情報に含まれる大当たり判定乱数値が予め定められた大当たり判定値と一致する場合には所定の大当たり態様（特定態様）で、それ以外の場合には外れ態様で停止するようになっている。
【００１６】
特別図柄には、例えば大当たり態様及び外れ態様が夫々１又は複数種類ずつ設けられている。それら各態様には夫々数字図柄等を割り当ててもよいし、遊技者がその特別図柄の種類を容易に区別できないように、任意の線や点の組み合わせのような特別な意味を持たない図柄を割り当ててもよい。
【００１７】
大入賞手段１７は、例えば前向き開口状の大入賞口２６と、この大入賞口２６を遊技球が入賞可能な開状態と入賞不可能な閉状態とに切り換え可能な開閉板２７と、大入賞口２６に入賞した遊技球を検出する遊技球検出手段（図示省略）とを備え、例えば特別図柄始動手段１６の下側に配置されており、特別図柄表示手段２４の変動後の停止図柄が大当たり態様（特定態様）となった場合に発生する特別利益状態において、開閉板２７が所定の開放パターンに従って前側に開放して、その上に落下してきた遊技球を大入賞口２６内へと入賞させるようになっている。
【００１８】
また液晶表示手段２１は、例えば特別図柄表示手段２４による特別図柄の変動表示と並行して演出図柄２８を変動表示する等、遊技状態に応じて各種演出画像を表示するようになっている。演出図柄２８は、１個又は複数個、例えば左右方向に３個の数字図柄等で構成され、「６・６・６」、「７・７・７」等、３つの図柄が全て同じ図柄で揃ったものが大当たり演出態様、少なくとも１つの図柄が異なるものが外れ演出態様となっており、例えば特別図柄が大当たり態様となる場合には演出図柄は大当たり演出態様となり、特別図柄が外れ態様となる場合には演出図柄は外れ演出態様となる。
【００１９】
前枠３の裏側には、図２に示すように遊技盤５の裏側を開閉自在に覆う透明な開閉カバー３１が着脱自在に装着されると共に、その上側に遊技球タンク３２とタンクレール３３とが、左右一側に払い出し手段３４と払い出し通路３５とが夫々装着されており、遊技球が大入賞手段１７等に入賞したとき、又は図示しない自動球貸し機から球貸し要求があったときに、遊技球タンク３２内の遊技球をタンクレール３３を経て払い出し手段３４により払い出し、その遊技球を払い出し通路３５を経て貯留皿１１に案内するようになっている。
【００２０】
前枠３の裏側下部には、基板装着台３６が着脱自在に装着されており、この基板装着台３６の背面側に、電源基板３７を格納した電源基板ケース３８と、払い出し手段３４を制御する払出制御基板３９を格納した払出基板ケース４０とが例えば背面視で左右に隣接して配置されている。なお、払出制御基板３９の下位には、図５に示すように、払出制御基板３９からの発射制御信号等に基づいて発射手段６を制御する発射制御基板３０が接続されている。発射制御基板３０は、例えば発射手段６の後側に配置されている。
【００２１】
また遊技盤５の裏側には、図３に示すように、中央表示ユニット１４、特別図柄始動手段１６等の遊技部品を後側から覆う裏カバー４１が装着されている。裏カバー４１は、上部側の上部カバー４２と下部側の集球ケース４３とで構成され、遊技盤５の背面側に個別に装着されている。
【００２２】
集球ケース４３は、大入賞手段１７等に入賞して遊技盤５の裏側に案内された遊技球を下部側の排出口４３ａに誘導して下向きに排出するもので、その背面側には、主制御基板４４を格納した主基板ケース４５が例えば背面視右側に着脱自在に装着され、また複数の盤側コネクタ４６が例えば背面視左側に配置されている。盤側コネクタ４６は、遊技盤５を前枠３に対して前側から装着したときに、前枠３側の枠側コネクタ４７（図２参照）に前側から結合するようになっている。
【００２３】
主制御基板４４は遊技動作を統括的に制御するもので、図５に示すように、遊技盤５上の普通図柄表示手段２３、特別図柄表示手段２４、普通図柄始動手段１５、特別図柄始動手段１６、大入賞手段１７、普通入賞手段１８等が例えば図示しない中継基板等を経由して接続されている。
【００２４】
また、上部カバー４２の背面側には、演出制御基板（所定基板）４９を格納した演出基板ケース（所定基板ケース）５０と、液晶制御基板（所定基板）５１を格納した液晶基板ケース（所定基板ケース）５２と、演出インターフェイス基板５３とが着脱自在に装着されている。演出インターフェイス基板５３は盤側コネクタ４６の上側に配置され、演出基板ケース５０と液晶基板ケース５２とは主基板ケース４５の上側に対応して背面視で左右に隣接して配置されている。
【００２５】
演出制御基板４９は、主制御基板４４からの制御コマンドに基づいて音声出力、ＬＥＤ発光、可動体駆動等の演出制御を行うように構成され、液晶制御基板５１は、演出制御基板４９からの制御コマンドに基づいて液晶表示手段２１を制御するように構成されている。図５に示すように、演出制御基板４９及び液晶制御基板５１は、主制御基板４４に接続された演出インターフェイス基板５３に接続されており、主制御基板４４から演出制御基板４９への制御コマンド、演出制御基板４９から液晶制御基板５１への制御コマンドは共に演出インターフェイス基板５３を経由して送信されるようになっている。また、演出制御基板４９の制御対象である各種演出手段、例えばスピーカ７ａ、ＬＥＤ７ｂ，８ｂ等の他、遊技者が操作可能な演出ボタン８ａ等は例えば演出インターフェイス基板５３を介して演出制御基板４９に接続されている。
【００２６】
主基板ケース（特定基板ケース）４５は、全体として扁平な略矩形状であって、図６〜図９等に示すように、主制御基板（特定基板）４４の実装面４４ａ側を覆うカバー体５４と、主制御基板４４の非実装面４４ｂ側を覆うベース体５５とで構成されている。カバー体５４とベース体５５とは互いに嵌め合わせ可能であり、それらの外周側の一辺、例えば背面視右端側には、カバー体５４とベース体５５とを閉状態で封止するための封止手段５６が例えば上下方向に複数配置されている。
【００２７】
主制御基板４４は例えば横長略矩形状で、実装面４４ａを後側に向けた状態で主基板ケース４５に格納されている。主制御基板４４の実装面４４ａには、外縁部に沿って複数のコネクタ５７が配置される他、ワンチップマイコン５８、抵抗５９、コンデンサ６０、ＩＣ６１等が装着されている。
【００２８】
ワンチップマイコン５８は、ＣＰＵ，ＲＯＭ，ＲＡＭ等を一体化したもので、ＲＯＭには当該パチンコ機の機種・仕様に対応する遊技制御プログラムが格納されている。ワンチップマイコン５８は、図６〜図１０等に示すように、実装面４４ａに対して略垂直に起立する板状部６５を備えている。板状部６５は、実装面４４ａに沿って細長略矩形状に形成されており、実装面４４ａ側の縁部が固定手段６６を介して実装面４４ａに固定されている。
【００２９】
ワンチップマイコン５８は、主制御基板４４の実装面４４ａにおける上下方向中央よりも下側に、板状部６５が略水平となるように配置されており、その板状部６５の上面６５ａ側に、例えば略矩形状の情報表示シール（情報表示体）６７が貼付されている。この情報表示シール６７は、例えば板状部６５の長手方向一端側（ここでは背面視右端側）に配置されており、当該パチンコ機の機種名を示す「ＣＲあいうえお」、メーカー名を示す「（株）ＡＢＣＤ」等の各文字情報６７ａが、図１０に示すように、例えば板状部６５の長手方向に沿う横書きで、それらの各文字の上側（頭側）が実装面４４ａ側となる向きに表示されている。
【００３０】
また、ワンチップマイコン５８は例えば実装面４４ａにおける背面視左側に配置されており、図６〜図９等に示すように、実装面４４ａにおけるワンチップマイコン５８の上側に対応するマイコン上部領域（第２領域）６８には、実装面４４ａからの後向き突出高さがワンチップマイコン５８よりも高い電子部品は配置されていない。このマイコン上部領域６８は、実装面４４ａにおける情報表示シール６７の上側に対応するシール上部領域（第１領域）６９を含むため、当然ながらそのシール上部領域６９にも、実装面４４ａからの後向き突出高さがワンチップマイコン５８よりも高い電子部品は配置されていない。
【００３１】
カバー体５４は、例えば透明な合成樹脂製で、図６〜図９等に示すように、主制御基板４４の実装面４４ａに対向する対向壁７１と、主制御基板４４の外周に沿って対向壁７１からベース体５５側に突設された外周壁７２とを一体に備えている。主制御基板４４は、カバー体５４に対して前側から周壁７２の内側に嵌め込まれ、ネジ止め等によりカバー体５４に着脱自在に固定されている。
【００３２】
カバー体５４には、主制御基板４４の実装面４４ａに当接又は近接する底壁７３を備えた凹入部７４が外周壁７２に沿って一又は複数、例えば背面視左縁部と下縁部とに沿って各一つ設けられている。それら凹入部７４の底壁７３には夫々一又は複数の開口部７５が形成されており、この開口部７５から主制御基板４４側のコネクタ５７が後向きに突出している。このように本実施形態では、コネクタ５７が配置される凹入部７４は、ワンチップマイコン５８の上側に対応する領域を避けて設けられている。
【００３３】
またカバー体５４には、図７に示すように、通気孔７６が多数形成される他、対向壁７１の外面側に基板情報表示シール７７が一又は複数貼付されている。基板情報表示シール７７には、メーカー名を示す「（株）ＡＢＣＤ」、主制御基板４４の管理番号を示す「Ｎｏ．０１２３４５」、当該パチンコ機の機種名を示す「ＣＲあいうえお」等の文字情報７７ａの他、それらの情報に対応する二次元コード７７ｂ等が表示されている。なお、基板情報表示シール７７は例えば透明な合成樹脂製で、各情報が白色、黒色等の所定色でプリントされている。
【００３４】
通気孔７６及び基板情報表示シール７７は、例えばカバー体５４の対向壁７１に、ワンチップマイコン５８の後側、上側等を避けて配置されている。本実施形態では、通気孔７６及び基板情報表示シール７７は、対向壁７１におけるワンチップマイコン５８よりも背面視右側に配置されており、ワンチップマイコン５８の後側及びその上側近傍はもちろん、実装面４４ａのシール上部領域６９の後側、更にはマイコン上部領域６８の後側にも通気孔７６及び基板情報表示シール７７は配置されていない。
【００３５】
ベース体５５は、例えば透明な合成樹脂製で、図６〜図９等に示すように、主制御基板４４の非実装面４４ｂに対向するベース壁８１と、このベース壁８１の外周からカバー体５４側に突出し且つカバー体５４側の外周壁７２の内側に嵌め込まれる内周壁８２とを一体に備えている。
【００３６】
カバー体５４とベース体５５とは、互いに嵌め合わされた状態で、その上下両側の係合手段８３によって閉状態にロックされる。即ち、係合手段８３は、カバー体５４の上下の外周壁７２に沿って左右方向に所定間隔で複数個配置された外向き突出状の係合爪８４と、ベース体５５の上下の内周壁８２に沿って各係合爪８４に対応して配置された複数個の切欠部８５と、同じくベース体５５の上下の内周壁８２に沿って各切欠部８５に隣接して設けられた複数の係合部８６とで構成されており、係合爪８４を夫々切欠部８５に嵌合させるようにカバー体５４とベース体５５とを嵌め合わせ（アンロック状態）、カバー体５４をベース体５５に対して左右方向の一方側に向けて相対的にスライドさせたとき、図９等に示すように各係合爪８４が係合部８６に夫々係合して、カバー体５４とベース体５５とが互いに結合状態でロックされる（ロック状態）ようになっている。
【００３７】
封止手段５６は、図６，図７等に示すように、カバー体５４側に設けられた封止ピン８７と、ベース体５５側に設けられたピン嵌合部８８とで構成されており、カバー体５４とベース体５５とがロック状態のときに封止ピン８７が押し込まれることにより、この封止ピン８７がピン嵌合部８８に離脱操作不可能な状態で嵌合すると共にカバー体５４側の規制片（図示省略）に係合して、カバー体５４のベース体５５に対するアンロック状態側へのスライド、即ち主基板ケース４５の開封を阻止するようになっている。主基板ケース４５を開封する際には、カバー体５４側の規制片をニッパー等により切断、除去して、カバー体５４のベース体５５に対するアンロック状態側へのスライドを許容してやればよい。このように、主基板ケース４５が開封された場合には規制片の部分に必ず痕跡が残るようになっている。なお、封止手段５６は複数、例えば二つ設けられており、一旦開封した後に再度封止することが可能となっている。
【００３８】
以上のような主基板ケース４５は、図３，図４に示すようにその上側に配置された演出基板ケース５０，液晶基板ケース５２よりも後側に配置されている。これにより、主基板ケース（特定基板ケース）４５の背面４５ａは、演出基板ケース（所定基板ケース）５０，液晶基板ケース（所定基板ケース）５２の背面５０ａ，５２ａよりも後側に位置しており、更に主基板ケース４５内のワンチップマイコン５８は、その後端部が演出基板ケース５０，液晶基板ケース５２の背面５０ａ，５２ａよりも後側に位置している。
【００３９】
以上のように本実施形態のパチンコ機では、遊技機本体１の後部側に、ワンチップマイコン５８を装着した実装面４４ａを後側に向けた状態で主制御基板（特定基板）４４を配置し、ワンチップマイコン５８に、当該遊技機の機種名・メーカー名等を示す文字情報６７ａが表示されたシート状の情報表示シール（情報表示体）６７を貼付しているため、主制御基板４４に実装されているワンチップマイコン５８に関する情報を目視によって容易に確認することが可能である。
【００４０】
また、ワンチップマイコン５８は実装面４４ａに対して略垂直な板状部６５を備え、その板状部６５が略水平となるようにワンチップマイコンを配置し、しかもその板状部６５の上面６５ａ側に情報表示シール６７を貼付しているため、情報表示シール６７に表示された情報を遊技機本体１の後側から容易に目視可能である。
【００４１】
また、ワンチップマイコン５８を主制御基板４４の上下方向中央よりも下側に配置しており、しかもその主制御基板４４が格納された主基板ケース４５を、その背面４５ａが演出基板ケース５０，液晶基板ケース５２の背面５０ａ，５２ａよりも後側に位置し、且つワンチップマイコン５８の後端部が演出基板ケース５０，液晶基板ケース５２の背面５０ａ，５２ａよりも後側に位置するように、演出基板ケース５０，液晶基板ケース５２の下側に配置しているため、演出基板ケース５０，液晶基板ケース５２が、遊技機本体１の後側から情報表示シール６７を目視する際の障害となることもない。
【００４２】
更に、実装面４４ａにおける情報表示シール６７の上側に対応するシール上部領域（第１領域）６９だけでなく、ワンチップマイコン５８の上側に対応するマイコン上部領域（第２領域）６８に、実装面４４ａからの後向き突出高さがワンチップマイコン５８よりも高い電子部品は配置されていないため、実装面４４ａに配置されているその他の電子部品が、遊技機本体１の後側から情報表示シール６７を目視する際の障害となることもない。
【００４３】
図１１は本発明の第２の実施形態を例示し、第１の実施形態を一部変更して、情報表示シール（情報表示体）６７を、文字情報６７ａ等の下側（脚側）が実装面４４ａ側となる向きでワンチップマイコン５８に貼付した例を示している。なお、情報表示シール６７の向きが平面視で１８０度異なっている点以外の構成は第１の実施形態と同様である。
【００４４】
このように、文字情報６７ａの下側（脚側）が実装面４４ａ側となる向きに情報表示シール６７を貼付すると、主基板ケース４５が遊技機本体１に取り付けられた状態でその遊技機本体１の後側から主基板ケース４５内のワンチップマイコン５８をのぞき込んだ場合には文字情報６７ａが上下逆さに見えてしまうが、主基板ケース４５を遊技機本体１から取り外し、実装面４４ａを上向きにしてのぞき込んだ場合には文字情報６７ａが正立して見え、文字を識別しやすいという利点がある。
【００４５】
図１２は本発明の第３の実施形態を例示し、情報表示シール（情報表示体）６７を、ワンチップマイコン５８における板状部６５の両面に跨がって貼付した例を示している。なお、ワンチップマイコン５８への情報表示シール６７の貼付態様以外の構成は第１の実施形態と同様である。
【００４６】
本実施形態の情報表示シール（情報表示体）６７は、細長略矩形状に形成されており、その表面側には、長手方向略中央の折り返し部９１を挟んで第１面９２ａ側に当該パチンコ機の機種名を示す「ＣＲあいうえお」の文字情報６７ａが、第２面９２ｂ側にメーカー名を示す「（株）ＡＢＣＤ」の文字情報６７ｂが夫々表示されている。なお、第１面９２ａ側の文字情報６７ａ、第２面９２ｂ側の文字情報６７ｂは、何れも下側（脚側）が折り返し部９１側に向くように配置されている。
【００４７】
この情報表示シール６７は、板状部６５の後縁部６５ｃ側を経て上面６５ａ側と下面６５ｂ側とに跨がって貼付されている。即ち、板状部６５の後縁部６５ｃに折り返し部９１を沿わせた状態で、第１面９２ａが板状部６５の上面６５ａ側に、第２面９２ｂが板状部６５の下面６５ｂ側に夫々貼付されている。これにより、板状部６５の上面６５ａ側の文字情報６７ａと下面６５ｂ側の文字情報６７ｂとは、何れも上側（頭側）が実装面４４ａ側に向いている。
【００４８】
このように、情報表示シール６７は、ワンチップマイコン５８における板状部６５の少なくとも上面６５ａ側に貼付され且つその上面６５ａ側に文字情報６７ａ等が表示されていればよく、例えば情報表示シール６７を板状部６５の下面６５ｂ側に折り返して貼付してもよい。
【００４９】
なお、情報表示シール６７は、板状部６５の側縁側を経て上面６５ａ側と下面６５ｂ側とに跨がって貼付してもよい。また、第１面９２ａ側の文字情報６７ａ、第２面９２ｂ側の文字情報６７ｂは、下側（脚側）が実装面４４ａ側に向くように表示してもよい。文字情報は、上面６５ａと下面６５ｂとのうちの上面側にのみ表示してもよい。
【００５０】
以上、本発明の実施形態について詳述したが、本発明はこれらの実施形態に限定されるものではなく、本発明の趣旨を逸脱しない範囲で種々の変更が可能である。例えば、実施形態と同様のワンチップマイコン５８を、主制御基板４４以外の基板、例えば払出制御基板３９に設けてもよい。この場合、実施形態のパチンコ機では払出基板ケース４０の上側に主基板ケース４５が配置されているため、図１３に示すように、払出基板ケース４０の背面４０ａが主基板ケース４５の背面４５ａよりも後側に位置し、また払出基板ケース４０内のワンチップマイコン５８の後端部が主基板ケース４５の背面４５ａよりも後側に位置するように、例えば主基板ケース４５を払出基板ケース４０よりも前側に配置することが望ましい。
【００５１】
主制御基板（特定基板）４４の実装面４４ａにおけるワンチップマイコン５８の上側に配置される電子部品は、平面視で情報表示シール（情報表示体）６７の上側に重ならない位置及び高さとすることが望ましい。
【００５２】
図示しないが、ハーネスがワンチップマイコン５８を跨らないように配線させることで、所定情報の視認性をより高めることができる。
【００５３】
主基板ケース４５の表面と情報表示シール（情報表示体）６７とに識別可能な情報を記載したことによって、ゴト行為等によりワンチップマイコン５８だけが取り換えられた際にも容易にこれを発見することができる。
【００５４】
実施形態では、ワンチップマイコン５８の上側に対応するマイコン上部領域６８に、実装面４４ａからの後向き突出高さがワンチップマイコン５８よりも高い電子部品は配置しないようにしたが、ワンチップマイコン５８よりも高い電子部品は、ワンチップマイコン５８との位置関係が少なくとも左右関係に配置されることが望ましい。
【００５５】
情報表示シール（情報表示体）６７は、ワンチップマイコン５８の製品情報表示を隠蔽しない位置に貼付されることが望ましい。
【００５６】
ワンチップマイコン５８の上側に対応するマイコン上部領域６８には、試験用の出力情報を出力するためのコネクタを配置することが望ましい。市場出荷時においてはそのコネクタがすでに取り外された状態であり、ワンチップマイコン５８の視認性を妨げる恐れはないため、限られた基板領域をより有効に活用することができる。
【００５７】
また、実施形態では本発明をパチンコ機に適用した例を示したが、アレンジボール機、スロットマシン等の各種遊技機において同様に実施可能であることは言うまでもない。
【符号の説明】
【００５８】
１    遊技機本体
５８    ワンチップマイコン
４４    主制御基板（特定基板）
４４ａ  実装面
４５    主基板ケース（特定基板ケース）
４５ａ  背面
４９    演出制御基板（所定基板）
５０    演出基板ケース（所定基板ケース）
５０ａ  背面
５１    液晶制御基板（所定基板）
５２    液晶基板ケース（所定基板ケース）
５２ａ  背面
６５    板状部
６５ａ  上面
６５ｂ  下面
６７    情報表示シール（情報表示体）
６７ａ  文字情報
【図１】
0006531145.tif 000002
【図２】
0006531145.tif 000003
【図３】
0006531145.tif 000004
【図４】
0006531145.tif 000005
【図５】
0006531145.tif 000006
【図６】
0006531145.tif 000007
【図７】
0006531145.tif 000008
【図８】
0006531145.tif 000009
【図９】
0006531145.tif 000010
【図１０】
0006531145.tif 000011
【図１１】
0006531145.tif 000012
【図１２】
0006531145.tif 000013
【図１３】
0006531145.tif 000014